【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
エポキシドと一酸化炭素とを共重合するための方法であって、
ａ）前記エポキシドを、金属カルボニル化合物および重合開始剤の存在下で一酸化炭素と接触させるステップであって、前記エポキシドが、前記重合開始剤に対してモル過剰で提供され、前記重合開始剤が、前記金属カルボニル化合物に対してモル過剰で提供される、ステップと、
ｂ）式
【化３１】
2015522091.tif 000001
のポリマーを含むポリエステル生成物を生成するステップであって、式中、Ｅが、前記エポキシドから誘導される任意に置換されたエチレン単位であり、ｎが、約５〜５０００の間の整数である、ステップと、を含む、方法。
【請求項２】
前記金属カルボニル化合物が、ヒドリド金属カルボニルを含む、請求項１に記載の方法。
【請求項３】
前記ヒドリド金属カルボニルが、ＨＣｏ（ＣＯ）４を含む、請求項２に記載の方法。
【請求項４】
前記重合開始剤が、プロトン性重合開始剤である、請求項１〜３のいずれか一項に記載の方法。
【請求項５】
前記重合開始剤が、アルコールを含む、請求項１〜４のいずれか一項に記載の方法。
【請求項６】
請求項１〜５のいずれか一項に記載の方法であって、前記重合開始剤は：
（ｉ）脂肪族アルコール；または
（ｉｉ）Ｃ１−２０脂肪族アルコール；または
（ｉｉｉ）メタノール、エタノール、１−プロパノール、１−ブタノール、イソブタノール、イソペンタノール、ネオペンタノール、２−メチル−１−ブタノール、１−ペンタノール、１−ヘキサノール、１−オクタノール、２−プロパノール、２−ブタノール、２−ペンタノール、２−ヘキサノール、２−ヘプタノール、２−オクタノール、シクロペンタノール、シクロヘキサノール、４−メチルシクロヘキサノール、３−メチルシクロペンタノール、アリルアルコール、メチル２−ブテノール、シス−２−ブテノール、トランス−２−ブテノール、もしくはベンジルアルコール；または
（ｉｖ）式：
【化３２】
2015522091.tif 000002
を有するアルコール；または
（ｖ）式
【化３３】
2015522091.tif 000003
を有するアルコール；または
（ｖｉ）式：
【化３４】
2015522091.tif 000004
を有するアルコール；または
（ｖｉｉ）式：
【化３５】
2015522091.tif 000005
を有するアルコール；または
（ｖｉｉｉ）
【化３６】
2015522091.tif 000006
からなる群から選択されるアルコール
を含み、
Ｒａ’は、水素、または、Ｃ１−３０脂肪族、窒素、酸素、および硫黄からなる群から独立して選択される１〜４個のヘテロ原子を有するＣ１−３０ヘテロ脂肪族、６〜１０員のアリール、窒素、酸素、および硫黄から独立して選択される１〜４個のヘテロ原子を有する５〜１０員のヘテロアリール、および窒素、酸素、および硫黄からなる群から独立して選択される１〜３個のヘテロ原子を有する４〜７員の複素環式からなる群から選択される任意に置換された基であり；
各Ｒｂ’、Ｒｃ’、およびＲｄ’は、独立して、水素、または、Ｃ１−１２脂肪族、窒素、酸素、および硫黄からなる群から独立して選択される１〜４個のヘテロ原子を有するＣ１−１２ヘテロ脂肪族、６〜１０員のアリール、窒素、酸素、および硫黄から独立して選択される１〜４個のヘテロ原子を有する５〜１０員のヘテロアリール、および窒素、酸素、および硫黄からなる群から独立して選択される１〜３個のヘテロ原子を有する４〜７員の複素環式からなる群から選択される任意に置換された基であり、
式中、（Ｒｂ’およびＲｃ’）、（Ｒｃ’およびＲｄ’）、および（Ｒａ’およびＲｂ’）のうちのいずれかは、それらの介在原子と一緒になって、任意に置換されたＣ３−Ｃ１４炭素環、任意に置換されたＣ３−Ｃ１４複素環、任意に置換されたＣ６−Ｃ１０アリール、および任意に置換されたＣ５−Ｃ１０ヘテロアリールからなる群から選択される１つ以上の環を形成でき；
Ｒｇは、任意に置換されたＣ１−１２脂肪族、Ｃ１−４ペルフルオロ脂肪族、任意に置換されたアルケニル、および任意に置換されたアリールからなる群から選択され；
【化３７】
2015522091.tif 000007
は高分子支持体を含む、方法。
【請求項７】
前記重合開始剤が、アクリル酸を含む、請求項１〜４のいずれか一項に記載の方法。
【請求項８】
前記重合開始剤が、ジオールを含む、請求項１〜４のいずれか一項に記載の方法。
【請求項９】
前記重合開始剤が、カルボキシレートアニオンを含む、請求項１〜３のいずれか一項に記載の方法。
【請求項１０】
前記エポキシドが、エチレンオキシドを含む、請求項１〜９のいずれか一項に記載の方法。
【請求項１１】
エポキシドと重合開始剤とのモル比が、５：１を超えるか、
エポキシドと重合開始剤とのモル比が、１０：１を超えるか、
エポキシドと重合開始剤とのモル比が、２０：１を超えるか、または
エポキシドと重合開始剤とのモル比が、５０：１を超える、請求項１〜１０のいずれか一項に記載の方法。
【請求項１２】
重合開始剤と金属カルボニル化合物とのモル比が、５：１を超えるか、
重合開始剤と金属カルボニル化合物とのモル比が、１０：１を超えるか、
重合開始剤と金属カルボニル化合物とのモル比が、２０：１を超えるか、
重合開始剤と金属カルボニル化合物とのモル比が、５０：１を超えるか、
重合開始剤と金属カルボニル化合物とのモル比が、１００：１を超えるか、または
重合開始剤と金属カルボニル化合物とのモル比が、２００：１を超える、請求項１〜１１のいずれか一項に記載の方法。
【請求項１３】
前記エポキシドが、エチレンオキシドであり、前記金属カルボニル化合物が、コバルトカルボニル化合物であり、前記重合開始剤が、アルコール、カルボン酸、カルボキシレート塩、およびこれらのうちの２つ以上の任意の組み合わせからなる群から選択され、
前記エポキシドと前記重合とのモル比が、１０：１を超え、重合開始剤とコバルトカルボニル化合物とのモル比が、５：１を超える、請求項１に記載の方法。
【請求項１４】
（消費されたエポキシドに基づく）ポリエステル生成物の収率が、少なくとも１０％、少なくとも２０％、少なくとも３０％、少なくとも５０％、少なくとも７５％、または少なくとも９０％である、請求項１〜１３のいずれか一項に記載の方法。
【請求項１５】
前記ポリエステル生成物を小分子生成物に変換することを更に含む、請求項１〜１４のいずれか一項に記載の方法。
【請求項１６】
前記小分子生成物が、アクリル酸、置換されたアルファベータ不飽和カルボン酸、アクリレートエステル、アクリルアミド、またはアルファベータ不飽和酸のエステルもしくはアミドを含む、請求項１５に記載の方法。
【請求項１７】
前記ポリエステル生成物を民生用包装品、フィルム、成形されたプラスチック物品、民生用製品のプラスチック構成要素、繊維、または布に変換することを更に含む、請求項１〜１４のいずれか一項に記載の方法。
【請求項１８】
エポキシドと一酸化炭素とを共重合するための重合系であって、エポキシド、金属カルボニル化合物、および重合開始剤を含み、前記エポキシドが、前記重合開始剤に対してモル過剰で存在し、前記重合開始剤が、前記金属カルボニル化合物に対してモル過剰で存在する、重合系。
【請求項１９】
前記金属カルボニル化合物が、ヒドリド金属カルボニルを含む、請求項１８に記載の重合系。
【請求項２０】
前記ヒドリド金属カルボニルが、ＨＣｏ（ＣＯ）４を含む、請求項１９に記載の重合系。
【請求項２１】
前記重合開始剤が、プロトン性重合開始剤である、請求項１８〜２０のいずれか一項に記載の重合系。
【請求項２２】
前記重合開始剤が、アルコールを含む、請求項１８〜２０のいずれか一項に記載の重合系。
【請求項２３】
請求項１８〜２２のいずれか一項に記載の重合系であって、前記重合開始剤は：
（ｉ）脂肪族アルコール；または
（ｉｉ）Ｃ１−２０脂肪族アルコール；または
（ｉｉｉ）メタノール、エタノール、１−プロパノール、１−ブタノール、イソブタノール、イソペンタノール、ネオペンタノール、２−メチル−１−ブタノール、１−ペンタノール、１−ヘキサノール、１−オクタノール、２−プロパノール、２−ブタノール、２−ペンタノール、２−ヘキサノール、２−ヘプタノール、２−オクタノール、シクロペンタノール、シクロヘキサノール、４−メチルシクロヘキサノール、３−メチルシクロペンタノール、アリルアルコール、メチル２−ブテノール、シス−２−ブテノール、トランス−２−ブテノール、もしくはベンジルアルコール；または
（ｉｖ）式：
【化３８】
2015522091.tif 000008
を有するアルコール；または
（ｖ）式
【化３９】
2015522091.tif 000009
を有するアルコール；または
（ｖｉ）式：
【化４０】
2015522091.tif 000010
を有するアルコール；または
（ｖｉｉ）式：
【化４１】
2015522091.tif 000011
を有するアルコール；または
（ｖｉｉｉ）
【化４２】
2015522091.tif 000012
からなる群から選択されるアルコール
を含み、
Ｒａ’は、水素、または、Ｃ１−３０脂肪族、窒素、酸素、および硫黄からなる群から独立して選択される１〜４個のヘテロ原子を有するＣ１−３０ヘテロ脂肪族、６〜１０員のアリール、窒素、酸素、および硫黄から独立して選択される１〜４個のヘテロ原子を有する５〜１０員のヘテロアリール、および窒素、酸素、および硫黄からなる群から独立して選択される１〜３個のヘテロ原子を有する４〜７員の複素環式からなる群から選択される任意に置換された基であり；
各Ｒｂ’、Ｒｃ’、およびＲｄ’は、独立して、水素、または、Ｃ１−１２脂肪族、窒素、酸素、および硫黄からなる群から独立して選択される１〜４個のヘテロ原子を有するＣ１−１２ヘテロ脂肪族、６〜１０員のアリール、窒素、酸素、および硫黄から独立して選択される１〜４個のヘテロ原子を有する５〜１０員のヘテロアリール、および窒素、酸素、および硫黄からなる群から独立して選択される１〜３個のヘテロ原子を有する４〜７員の複素環式からなる群から選択される任意に置換された基であり、
式中、（Ｒｂ’およびＲｃ’）、（Ｒｃ’およびＲｄ’）、および（Ｒａ’およびＲｂ’）のうちのいずれかは、それらの介在原子と一緒になって、任意に置換されたＣ３−Ｃ１４炭素環、任意に置換されたＣ３−Ｃ１４複素環、任意に置換されたＣ６−Ｃ１０アリール、および任意に置換されたＣ５−Ｃ１０ヘテロアリールからなる群から選択される１つ以上の環を形成でき；
Ｒｇは、任意に置換されたＣ１−１２脂肪族、Ｃ１−４ペルフルオロ脂肪族、任意に置換されたアルケニル、および任意に置換されたアリールからなる群から選択され；
【化４３】
2015522091.tif 000013
は高分子支持体を含む、重合系。
【請求項２４】
前記重合開始剤が、アクリル酸を含む、請求項１８〜２１のいずれか一項に記載の重合系。
【請求項２５】
前記アルコールが、ジオールを含む、請求項１８〜２０のいずれか一項に記載の重合系。
【請求項２６】
前記重合開始剤が、カルボキシレートアニオンを含む、請求項１８〜２０のいずれか一項に記載の重合系。
【請求項２７】
前記エポキシドが、エチレンオキシドを含む、請求項１８〜２６のいずれか一項に記載の重合系。
【請求項２８】
エポキシドと重合開始剤とのモル比が、５：１を超えるか、
エポキシドと重合開始剤とのモル比が、１０：１を超えるか、
エポキシドと重合開始剤とのモル比が、２０：１を超えるか、または
エポキシドと重合開始剤とのモル比が、５０：１を超える、請求項１８〜２７のいずれか一項に記載の重合系。
【請求項２９】
重合開始剤と金属カルボニル化合物とのモル比が、５：１を超えるか、
重合開始剤と金属カルボニル化合物とのモル比が、１０：１を超えるか、
重合開始剤と金属カルボニル化合物とのモル比が、２０：１を超えるか、
重合開始剤と金属カルボニル化合物とのモル比が、５０：１を超えるか、
重合開始剤と金属カルボニル化合物とのモル比が、１００：１を超えるか、または
重合開始剤と金属カルボニル化合物とのモル比が、２００：１を超える、請求項１８〜２８のいずれか一項に記載の重合系。
【手続補正２】
【補正対象書類名】明細書
【補正対象項目名】００４９
【補正方法】変更
【補正の内容】
【００４９】
本明細書で使用される、１つ以上の数値に先行する用語「約」とは、数値±５％を意味する。
本発明は、例えば、以下を提供する。
（項目１）
エポキシドと一酸化炭素とを共重合するための方法であって、
ａ）エポキシドを提供するステップと、
ｂ）前記エポキシドを、金属カルボニル化合物および重合開始剤の存在下で一酸化炭素と接触させるステップであって、前記エポキシドが、前記重合開始剤に対してモル過剰で提供され、前記重合開始剤が、前記金属カルボニル化合物に対してモル過剰で提供される、ステップと、
ｃ）式
【化３１】
2015522091.tif 000014
のポリマーを含むポリエステル生成物を生成するステップであって、式中、Ｅが、前記エポキシドから誘導される任意に置換されたエチレン単位であり、ｎが、約５〜５０００の間の整数である、ステップと、を含む、方法。
（項目２）
前記金属カルボニル化合物が、ヒドリド金属カルボニルを含む、項目１に記載の方法。
（項目３）
前記ヒドリド金属カルボニルが、ＨＣｏ（ＣＯ）４を含む、項目２に記載の方法。
（項目４）
前記重合開始剤が、アルコールを含む、項目１に記載の方法。
（項目５）
前記重合開始剤が、カルボキシレートアニオンを含む、項目１に記載の方法。
（項目６）
前記エポキシドが、エチレンオキシドを含む、項目１に記載の方法。
（項目７）
エポキシドと重合開始剤とのモル比が、５：１を超えるか、
エポキシドと重合開始剤とのモル比が、１０：１を超えるか、
エポキシドと重合開始剤とのモル比が、２０：１を超えるか、または
エポキシドと重合開始剤とのモル比が、５０：１を超える、項目１に記載の方法。
（項目８）
重合開始剤と金属カルボニル化合物とのモル比が、５：１を超えるか、
重合開始剤と金属カルボニル化合物とのモル比が、１０：１を超えるか、
重合開始剤と金属カルボニル化合物とのモル比が、２０：１を超えるか、
重合開始剤と金属カルボニル化合物とのモル比が、５０：１を超えるか、
重合開始剤と金属カルボニル化合物とのモル比が、１００：１を超えるか、または
重合開始剤と金属カルボニル化合物とのモル比が、２００：１を超える、項目１に記載の方法。
（項目９）
前記エポキシドが、エチレンオキシドであり、前記金属カルボニル化合物が、コバルトカルボニル化合物であり、前記重合開始剤が、アルコール、カルボン酸、カルボキシレート塩、およびこれらのうちの２つ以上の任意の組み合わせからなる群から選択され、
前記エポキシドと前記重合とのモル比が、１０：１を超え、重合開始剤とコバルトカルボニル化合物とのモル比が、５：１を超える、項目１に記載の方法。
（項目１０）
（消費されたエポキシドに基づく）ポリエステル生成物の収率が、少なくとも１０％、少なくとも２０％、少なくとも３０％、少なくとも５０％、少なくとも７５％、または少なくとも９０％である、項目１〜９のいずれか一項に記載の方法。
（項目１１）
前記ポリエステル生成物を小分子生成物に変換することを更に含む、項目１〜９のいずれか一項に記載の方法。
（項目１２）
前記小分子生成物が、アクリル酸、置換されたアルファベータ不飽和カルボン酸、アクリレートエステル、アクリルアミド、またはアルファベータ不飽和酸のエステルもしくはアミドを含む、項目１１に記載の方法。
（項目１３）
前記ポリエステル生成物を民生用包装品、フィルム、成形されたプラスチック物品、民生用製品のプラスチック構成要素、繊維、または布に変換することを更に含む、項目１〜９のいずれか一項に記載の方法。
（項目１４）
エポキシドと一酸化炭素とを共重合するための重合系であって、エポキシド、金属カルボニル化合物、および重合開始剤を含み、前記エポキシドが、前記重合開始剤に対してモル過剰で存在し、前記重合開始剤が、前記金属カルボニル化合物に対してモル過剰で存在することを特徴とする、重合系。
（項目１５）
前記金属カルボニル化合物が、ヒドリド金属カルボニルを含む、項目１４に記載の重合系。
（項目１６）
前記ヒドリド金属カルボニルが、ＨＣｏ（ＣＯ）４を含む、項目１５に記載の重合系。
（項目１７）
前記重合開始剤が、アルコールを含む、項目１４に記載の重合系。
（項目１８）
前記アルコールが、ジオールを含む、項目１７に記載の重合系。
（項目１９）
前記重合開始剤が、カルボキシレートアニオンを含む、項目１４に記載の重合系。
（項目２０）
前記エポキシドが、エチレンオキシドを含む、項目１４に記載の重合系。
（項目２１）
エポキシドと重合開始剤とのモル比が、５：１を超えるか、
エポキシドと重合開始剤とのモル比が、１０：１を超えるか、
エポキシドと重合開始剤とのモル比が、２０：１を超えるか、または
エポキシドと重合開始剤とのモル比が、５０：１を超える、項目１４に記載の重合系。
（項目２２）
重合開始剤と金属カルボニル化合物とのモル比が、５：１を超えるか、
重合開始剤と金属カルボニル化合物とのモル比が、１０：１を超えるか、
重合開始剤と金属カルボニル化合物とのモル比が、２０：１を超えるか、
重合開始剤と金属カルボニル化合物とのモル比が、５０：１を超えるか、
重合開始剤と金属カルボニル化合物とのモル比が、１００：１を超えるか、または
重合開始剤と金属カルボニル化合物とのモル比が、２００：１を超える、項目１４に記載の重合系。